(57)【要約】      （修正有）【課題】設置状態が不揃いになって瓦固定材の設置に不具合が生じない方法を提供する。【解決手段】棟部Ａに固定される束体２の上部に、幅及び奥行き寸法が大きい平板状の受承板３を一体化し、該受承板３の上面における奥行き方向の両端部に、上方からの押圧に対し変形可能とした弾性支持材４、4aを一体化した複数個の棟金具１（1a…）瓦固定材を、弾性支持材４、4aの上に載置して載架すれば、受承板３は平板で幅方向に規制がなく、各棟金具１（1a…）おける弾性支持材４、4aが瓦固定材を水平にすべく変形して、設置状態の棟金具１（1a…）の高さが不揃いであっても対応可能な構成とする。【選択図】図１
2013224539.tif 000002
【特許請求の範囲】
【請求項１】
棟部に固定される束体の上部に、幅及び奥行き寸法が大きい平板状の受承板を一体化し、該受承板３上面における奥行き方向の両端部に、上方からの押圧に対し変形可能とした弾性支持材を一体化したことを特徴とする棟金具。
【請求項２】
棟部上に設置された請求項１に記載の複数本の棟金具と、該棟金具上に配置された熨斗ユニット群と、該熨斗ユニット群の上部に設置された冠瓦とを有し、前記熨斗ユニット群は隣接する棟金具上に載架された複数の熨斗ユニットで構成され、各熨斗ユニットは棟方向に長いベースの両側面に、複数本の棒熨斗瓦を棟方向に並列配置し釘着した熨斗列を上下方向に複数段形成し、ベースを貫通させ受承板に捻じ込まれた複数本のネジの捻込み量で弾性支持材の変形量を調節可能にして、全ての熨斗ユニットを一直線上且つ同一高さに水平に配列状態とし、ベースの上面中央線上で、少なくとも棟方向の両端部位に溝を形成し、隣接する一方の熨斗ユニットの溝と他方の熨斗ユニットの溝にくさび板を嵌込み固定して、全熨斗ユニットを連結状態としたことを特徴とする棟構造。
【請求項３】
棟部上に設置された請求項１に記載の複数本の棟金具と、該棟金具上に配置されたｎ段の熨斗ユニット群と、最上段の熨斗ユニット群の上部に設置された冠瓦とを有し、各熨斗ユニット群は、複数の熨斗ユニットで構成され、１段目の熨斗ユニット群における熨斗ユニットは隣接する棟金具上に載架固定されると共に、下段の熨斗ユニット群の熨斗ユニットと上段の熨斗ユニット群の熨斗ユニットを千鳥配置し、熨斗ユニットは棟方向に長いベースの両側面に、複数本の棒熨斗瓦を棟方向に並列配置し釘着した熨斗列を１段又は上下方向に複数段形成し、１〜（ｎ−１）段目の熨斗ユニット群の熨斗ユニットのベースの上面中央線上に溝を形成し、２〜ｎ段目の熨斗ユニット群の熨斗ユニットのベースの下部に、下段の熨斗ユニットの溝への嵌合部を形成し、１段目の熨斗ユニット群における熨斗ユニットのベースを貫通させ受承板に捻じ込まれた複数本のネジの捻込み量で弾性支持材の変形量を調節可能にして、１段目の熨斗ユニット群の全ての熨斗ユニットを一直線上且つ同一高さに水平に配列状態とし、２〜ｎ段目の熨斗ユニット群の熨斗ユニットのベースを貫通させ１〜（ｎ−１）段目の熨斗ユニット群の熨斗ユニットに捻じ込まれた複数本のネジの捻込み量で弾性材の変形量を調節可能にして、２〜ｎ段目の熨斗ユニット群の全ての熨斗ユニットを一直線上且つ同一高さに水平に配列状態としたことを特徴とする棟構造。
【請求項４】
１〜（ｎ−１）段目の熨斗ユニット群の熨斗ユニットの熨斗列を２段とし、ｎ段目の熨斗ユニット群の熨斗ユニットの熨斗列を１段又は２段とし、上段の熨斗列の両端部に棒熨斗瓦の半分の幅の空白域を形成し、隣接する熨斗ユニットの境界部の２つの空白域を跨ぐ様に、棒熨斗瓦と同形同大の後付け棒熨斗瓦を、両端の熨斗ユニットの外端側の空白域に、棒熨斗瓦の半分の後付け棒熨斗半瓦を設置したことを特徴とする請求項３記載の棟構造。
【発明の詳細な説明】
【技術分野】
【０００１】
本発明は、大棟や隅棟における冠瓦を固定する棟木や笠木の様な瓦固定材を下方支持するために使用する棟金具及び該棟金具を使用した棟構造に関する。
【背景技術】
【０００２】
従来、棟部における、特に冠瓦を簡単に固定可能にすることを目的として、断面Ｕ字状の受承板の下面に支持杆を突設し、支持杆の下方にねじ部を設け、屋根の傾斜勾配に対応して形成された断面「へ」の字状の比較的薄い固定板部に、前記支持杆のねじ部を螺入するナットを設け、固定板部を貫通させたネジ、釘等の固定具を屋根下地に打ち込んで棟部に複数個設置し、固定板部に対し支持杆を回転させ受承板の高さを調節することで、全ての受承板の高さを揃えて、冠瓦を固定する笠木や棟木の様な瓦固定材を受承板に嵌め込み、両側板を貫通させて打ち込まれたネジ、釘等の固定具により固定して、冠瓦を、その下方に配置された瓦固定材にネジ、釘等の固定具により簡単に固定可能にした、所謂『強力棟』と称される棟金具が見受けられる（例えば、特許文献１参照）。
【先行技術文献】
【特許文献】
【０００３】
【特許文献１】実開昭５３−１３４４１６号公報
【発明の概要】
【発明が解決しようとする課題】
【０００４】
しかし、上記従来技術にあっては、を、全ての受承板を棟部に沿って一直線上に揃えると共に、全ての受承板の高さを揃えて設置することは困難であり、多少不揃いであっても、瓦固定材が細長材であれば撓ませて対応させることが可能であるが、瓦固定材が変形不可の場合、受承板の両側には側板があるために嵌め込むことが出来ず、更に受承板の向きは決められているため、１８０度単位で回転させなければ高さ調整出来ず、調整量が制限される等、解決せねばならない課題があった。
【課題を解決するための手段】
【０００５】
本発明は、上記従来技術に基づく、設置状態が不揃いになって瓦固定材の設置に不具合が生じ易い課題に鑑み、棟部に固定される束体の上部に、幅及び奥行き寸法が大きい平板状の受承板を一体化し、該受承板の上面における奥行き方向の両端部に、上方からの押圧に対し変形可能とした弾性支持材を一体化した複数個の棟金具に瓦固定材を、弾性支持材の上に載置して載架することによって、受承板は平板で幅方向に規制がなく、各棟金具における弾性支持材が瓦固定材を水平にすべく個々に変形させることで、許容範囲内での不揃いに対応可能にして、上記課題を解決する。
【発明の効果】
【０００６】
要するに本発明は、棟部に固定される束体の上部に、幅及び奥行き寸法が大きい平板状の受承板を一体化しているので、屋根下地の棟部より上方に瓦固定材を設置することが出来、且つ受承板の両側部に側板がないため、受承板と瓦固定材の中心線が不揃いであっても対応させることが出来、更に受承板の上面における奥行き方向の両端部に、上方からの押圧に対し変形可能とした弾性支持材を一体化したので、該弾性支持材上に設置される瓦固定材と受承板との間隔寸法が各棟金具で異なっていても、各棟金具の弾性支持材の変形量で調整することが出来、よって棟部に不揃いに設置されたとしても瓦固定材を水平に確実に設置することが出来る。
【０００７】
棟部上に設置された請求項１に記載の複数本の棟金具と、該棟金具上に配置された熨斗ユニット群と、該熨斗ユニット群の上部に設置された冠瓦とを有し、前記熨斗ユニット群は隣接する棟金具上に載架された複数の熨斗ユニットで構成され、各熨斗ユニットは棟方向に長いベースの両側面に、複数本の棒熨斗瓦を棟方向に並列配置し釘着した熨斗列を上下方向に複数段形成しているので、既に棒熨斗瓦が固定された状態で分割運搬・搬入することが出来るため、かかる作業の簡易化を図ることが出来ると共に、構築された棟構造を軽量化して耐震機能を向上させることが出来、設置時には棟金具の固定作業、熨斗ユニットの載架固定作業及び冠瓦の葺設作業で足りるため、略完全に乾式工法化することが出来、よってかかる作業に熟練を要せず簡易化を図ることが出来る。
又、ベースを貫通させ受承板に捻じ込まれた複数本のネジの捻込み量で弾性支持材の変形量を調節可能にして、全ての熨斗ユニットを一直線上且つ同一高さに水平に配列状態としたので、熨斗ユニット群における各熨斗ユニット毎に調整出来るため、棟金具が不揃いに設置されていたとしても対応可能にすることが出来る。
又、ベースの上面中央線上で、少なくとも棟方向の両端部位に溝を形成し、隣接する一方の熨斗ユニットの溝と他方の熨斗ユニットの溝にくさび板を嵌込み固定して、全熨斗ユニットを連結状態としたので、全熨斗ユニットが一体化された熨斗ユニット群を構築することが出来るため、構築された棟構造の強度向上を図ることが出来る。
【０００８】
棟部上に設置された請求項１に記載の複数本の棟金具と、該棟金具上に配置されたｎ段の熨斗ユニット群と、最上段の熨斗ユニット群の上部に設置された冠瓦とを有し、各熨斗ユニット群は、複数の熨斗ユニットで構成され、１段目の熨斗ユニット群における熨斗ユニットは隣接する棟金具上に載架固定されると共に、下段の熨斗ユニット群の熨斗ユニットと上段の熨斗ユニット群の熨斗ユニットを千鳥配置し、熨斗ユニットは棟方向に長いベースの両側面に、複数本の棒熨斗瓦を棟方向に並列配置し釘着した熨斗列を１段又は上下方向に複数段形成し、１〜（ｎ−１）段目の熨斗ユニット群の熨斗ユニットのベースの上面中央線上に溝を形成し、２〜ｎ段目の熨斗ユニット群の熨斗ユニットのベースの下部に、下段の熨斗ユニットの溝への嵌合部を形成し、１段目の熨斗ユニット群における熨斗ユニットのベースを貫通させ受承板に捻じ込まれた複数本のネジの捻込み量で弾性支持材の変形量を調節可能にして、１段目の熨斗ユニット群の全ての熨斗ユニットを一直線上且つ同一高さに水平に配列状態とし、２〜ｎ段目の熨斗ユニット群の熨斗ユニットのベースを貫通させ１〜（ｎ−１）段目の熨斗ユニット群の熨斗ユニットに捻じ込まれた複数本のネジの捻込み量で弾性材の変形量を調節可能にして、２〜ｎ段目の熨斗ユニット群の全ての熨斗ユニットを一直線上且つ同一高さに水平に配列状態としたので、上記１段の熨斗ユニット群を有する棟構造と同様の効果を、複数段の熨斗ユニット群を有する棟構造で実現させることが出来る。
【０００９】
構築された棟構造における棒熨斗瓦は千鳥配置させていることから、隣接する熨斗ユニットに跨がる様に棒熨斗瓦を設置する必要があることから、１〜（ｎ−１）段目の熨斗ユニット群の熨斗ユニットの熨斗列を２段とし、ｎ段目の熨斗ユニット群の熨斗ユニットの熨斗列を１段又は２段とし、上段の熨斗列の両端部に棒熨斗瓦の半分の幅の空白域を形成し、隣接する熨斗ユニットの境界部の２つの空白域を跨ぐ様に、棒熨斗瓦と同形同大の後付け棒熨斗瓦を、両端の熨斗ユニットの外端側の空白域に、棒熨斗瓦の半分の後付け棒熨斗半瓦を設置しているので、各熨斗ユニット群を設置毎に後付け棒熨斗瓦及び後付け棒熨斗半瓦を取り付ければ容易に作業することができる等その実用的効果甚だ大である。
【図面の簡単な説明】
【００１０】
【図１】本発明に係る棟金具の斜視図である。
【図２】中心線がずれた状態の棟金具に瓦固定材を載架した状態の要部拡大平面図である。
【図３】図２のＸ−Ｘ断面図（高さが不揃いの棟金具に瓦固定材を載架した状態）である。
【図４】図１の棟金具を使用した棟構造の実施例１の断面図である。
【図５】図４の棟構造の分解斜視図である。
【図６】図４の棟構造に使用する熨斗ユニットの斜視図である。
【図７（ａ）】図４の棟構造の構築過程の第１段階を示す断面図である。
【図７（ｂ）】図４の棟構造の構築過程の第２段階を示す断面図である。
【図７（ｃ）】図４の棟構造の構築過程の第３段階を示す断面図である。
【図８】図４の棟構造の構築過程を示す側面図である。
【図９】図１の棟金具を使用した棟構造の実施例２の断面図である。
【図１０】図９の棟構造の分解斜視図である。
【図１１】図９の棟構造に使用する下段熨斗ユニットの斜視図である。
【図１２】図９の棟構造に使用する上段熨斗ユニットの斜視図である。
【図１３（ａ）】図９の棟構造の構築過程の第１段階を示す断面図である。
【図１３（ｂ）】図９の棟構造の構築過程の第２段階を示す断面図である。
【図１３（ｃ）】図９の棟構造の構築過程の第３段階を示す断面図である。
【図１４】図９の棟構造の構築過程を示す側面図である。
【発明を実施するための形態】
【００１１】
以下、本発明を実施するための形態を図面に基づき説明する。
本発明に係る棟金具１、1a…にあっては、屋根下地Ｗにおける棟部Ａに設置するもので、棟部Ａに固定される束体２と、該束体２の上部に一体化された受承板３と、該受承板３の上面に一体化された、上方からの押圧に対し変形可能とした弾性支持材４、4aとを有している。
【００１２】
具体的には、図１に示す様に、束体２は金属板を折り曲げて形成されており、幅が狭い縦長門型板部５と、該縦長門型板部５の両下端部より下方且つ両側外方（受承板３の幅方向で外方）へ斜め方向に連続形成された固定板部６、6aとを有し、縦長門型板部５内にスペーサ７を設けている。
受承板３は幅及び奥行き寸法が大きい幅広な矩形状の金属平板としている。
弾性支持材４、4aは受承板３と同幅の金属製のバネ板で、受承板３の上面で奥行き方向の両端部に対称配置されており、かかる弾性支持材４、4aは、Ｖ字状に折り曲げられると共に受承板３側への固定片より傾斜状態の受承片を長くし、該受承片の先端側を奥行き方向側の両端部より突出させると共に、先端部位が下方に折り曲げられている。
【００１３】
次に、本発明に係る棟金具の作用について説明する。
設置された棟金具１、1a…が不揃いになることが殆どであるが、図２に示す様に、受承板３の中心が瓦固定材の中心と揃わなくても、受承板３の上方に瓦固定材を設置可能であり、而も図３に示す様に、棟金具１、1a…の高さが揃わなくても、瓦固定材の下面と受承板３の上面との間隙寸法に応じて各棟金具１、1a…における弾性支持材４、4aが、瓦固定材の下面に先端が接した状態で変形して、瓦固定材が水平に設置可能になる。
【００１４】
次に、この棟金具１、1a…を使用した棟構造について説明する。
【実施例１】
【００１５】
図４〜８に示す様に、屋根下地Ｗにおける棟部Ａに複数個の棟金具１、1a…を所定間隔毎に立設し、各棟金具１、1a…は屋根下地Ｗに接地した固定板部６、6aを貫通させたネジ、釘等を屋根下地Ｗに打ち込んで該屋根下地Ｗに固定されている。棟金具１、1a…内でスペーサ７より下方部位に１本の垂木８が貫通し、該垂木８は棟金具１、1a…を貫通させて打ち込まれたネジ、釘等により棟金具１、1a…に固定され一体化されている。
【００１６】
棟金具１、1a…上に熨斗ユニット群９を配置し、該熨斗ユニット群９を複数の熨斗ユニット10、10a …で構成し、隣接する棟金具１、1a…間に熨斗ユニット10、10a …を載架し、各熨斗ユニット10、10a …は、図６に示す様に、瓦固定材である長寸なベース11と、該ベース11の両側面12、12a に設けた上下２段の部分熨斗列13、13a とを有している。
【００１７】
ベース11の両側面12、12a は中間部に段差を設けた１段の段付面で、下方部位に下段の部分熨斗列13を、上方部位に上段の部分熨斗列13a を配置している。
【００１８】
ベース11の上面における中央線上に溝14、14a を形成し、該溝14、14a は両端面より、後述する棒熨斗瓦16、16a …の幅の半分程度の長さに形成されている。
【００１９】
隣接する一方の熨斗ユニット10、10a …の溝14a と他方の熨斗ユニット10a 、10b …の溝14にくさび板15を嵌め込んで、熨斗ユニット10、10a …を連結している。
【００２０】
各部分熨斗列13、13a は、側面12、12a の長手方向に並列配置した複数の棒熨斗瓦16、16a …で構成され、各棒熨斗瓦16、16a …は、断面形状が箱熨斗瓦の側部と略同一になる陶磁器板で、緩やかに下方傾斜した断面弧状の熨斗部17と、該熨斗部17の内端上部に上方突設した固定突部18とを有し、熨斗部17の外端面である熨斗面19を、内方への傾斜面としている。固定突部18に釘孔20、20a を形成し、熨斗部17の内端面と固定突部18の内側面とを面一にして平面状の、ベース11との当接面21を形成している。
【００２１】
熨斗ユニット10、10a …の上方に複数個の冠瓦22、22a …を、上段の左右の部分熨斗列13a 、13a を跨ぐ様に設置し、各冠瓦22、22a …は、貫通させた釘、ネジ等の固定具23を熨斗ユニット10、10a …に打ち込んで該熨斗ユニット10、10a …に固定されている。
【００２２】
尚、下段の部分熨斗列13における棒熨斗瓦16、16a …を、上段の部分熨斗列13a における棒熨斗瓦16、16a …に対し千鳥配置し、下段の部分熨斗列13は４個の棒熨斗瓦16、16a 、16b 、16c を、上段の部分熨斗列13a は３個の棒熨斗瓦16、16a 、16b で構成され、下段の部分熨斗列13はベース11の全長にわたっており、上段の部分熨斗列13a は両端部がベース11の両端まで至らずに、棒熨斗瓦16、16a …の１枚の半分の空白域24、24a を有し、熨斗ユニット10、10a …間の連続する空白域24、24a に、棒熨斗瓦16、16a …と同じ後付け棒熨斗瓦25を、熨斗ユニット10、10a …の一端側の空白域24と他端側の空白域24a に、棒熨斗瓦16、16a …を半分にした後付け棒熨斗半瓦26を、棒熨斗瓦16、16a …と同様に、熨斗ユニット10、10a …に固定して、熨斗ユニット10、10a …の部分熨斗列13により熨斗列27を、熨斗ユニット10、10a …の部分熨斗列13a と、後付け棒熨斗瓦25及び後付け棒熨斗半瓦26により熨斗列27a を形成している。
【００２３】
各熨斗ユニット10、10a …におけるベース11は、両端部を貫通させて受承板３に捻じ込んだネジ28、28a …で棟金具１、1a…に固定されている。くさび板15は、各熨斗ユニット10、10a …におけるベース11の側面12、12a の空白域24、24a に打ち込まれたネジ、釘等の固定具29、29a …でベース11に固定されている。
【００２４】
又、必要に応じて、熨斗ユニット10、10a …の一端側のもの（図面上、熨斗ユニット10）は、ベース11より短く、部分熨斗列13、13a の棒熨斗瓦16、16a …の枚数を少なくしたものを配置固定している。
【００２５】
次に、本発明に係る棟金具を使用した棟構造の実施例１の構築方法について説明する。（１−ａ）屋根下地Ｗにおける棟部Ａに複数個の棟金具１、1a…を立設し、隣接する棟金具１、1a…間に熨斗ユニット10、10a …を、全ての熨斗ユニット10、10a …の溝14、14a が一直線上に揃う様に載架し、各熨斗ユニット10、10a …を、ベース11の両端部を貫通させたネジ28、28a …を受承板３に捻じ込んで、弾性支持材４、4aを倒しながらベース11を下降させ、各ネジ28、28a …の捻込み量で全ての高さと水平を揃えた状態で棟金具１、1a…に固定する（〔図６（ａ）〕、〔図７〕（ａ）参照）。
（１−ｂ）隣接する一方の熨斗ユニット10、10a …の溝14a と他方の熨斗ユニット10a 、10b …の溝14にくさび板15を嵌め込んで、熨斗ユニット10、10a …を連結し、くさび板15を、各熨斗ユニット10、10a …におけるベース11の側面12、12a の空白域24、24a より打ち込んだ固定具29、29a …でベース11に固定する。そして、熨斗ユニット10、10a …間の連続する空白域24、24a に後付け棒熨斗瓦25を、熨斗ユニット10、10a …の一端側の空白域24と他端側の空白域24a に後付け棒熨斗半瓦26を固定する（〔図６（ｂ）〕、〔図７〕（ｂ）参照）。
（１−ｃ）熨斗ユニット10、10a …の上方に設置した複数個の冠瓦22、22a …を、貫通させた固定具23を熨斗ユニット10、10a …に打ち込んで固定する（〔図６（ｃ）〕、〔図７〕（ｃ）参照）。
【実施例２】
【００２６】
図９〜１４に示す様に、屋根下地Ｗにおける棟部Ａに複数個の棟金具１、1a…を所定間隔毎に立設し、各棟金具１、1a…は、上記実施例1 と同様に、屋根下地Ｗに固定し、垂木８で一体化されている。
【００２７】
棟金具１、1a…上に２段の熨斗ユニット群９、9aを配置し、該熨斗ユニット群９、9aを複数の熨斗ユニット30、30a …、31、31a …で構成し、隣接する棟金具１、1a…間に下段熨斗ユニット30、30a …を載架固定すると共に、該熨斗ユニット30、30a …上に上段熨斗ユニット31、31a …を載置し、各下段熨斗ユニット30、30a …は、図１１に示す様に、瓦固定材である長寸なベース32と、該ベース32の両側面33、33a に設けた上下２段の部分熨斗列34、34a とを有し、各上段熨斗ユニット31、31a …は、図１２に示す様に、瓦固定材である長寸なベース35と、該ベース35の両側面36、36a に設けた部分熨斗列37とを有している。
【００２８】
各下段熨斗ユニット30、30a …のベース32の各側面33、33a は中間部に段差を設けた１段の階段面で、下方部位に下段の部分熨斗列34を、上方部位に上段の部分熨斗列34a を配置している。
【００２９】
ベース32の上面における中央線上に該ベース32の全長にわたる溝39を形成し、該溝39はベース32の高さの１／２以上の深さに形成されている。
【００３０】
各上段熨斗ユニット31、31a …のベース35の各側面36、36a は平面で、上方部位に部分熨斗列37を配置し、ベース35における部分熨斗列37より下方部位を各下段熨斗ユニット30、30a …における溝39への嵌合部40としている。
【００３１】
各上段熨斗半ユニット38、38a のベース41は、各上段熨斗ユニット31、31a …のベース35の半分の長さとし、このベース41の各側面42、42a は平面で、上方部位に部分熨斗列43を配置し、ベース41における部分熨斗列43より下方部位を各下段熨斗ユニット30、30a …における溝39への嵌合部44としている。
【００３２】
各上段熨斗ユニット31、31a …の嵌合部40を、下段の熨斗ユニット群９における隣接する下段熨斗ユニット30、30a …に跨がる様に、連続する一方の下段熨斗ユニット30、30a …の溝39と他方の下段熨斗ユニット30a 、30b …の溝39に嵌め込んで、下段熨斗ユニット30、30a …を連結している。
【００３３】
各部分熨斗列34、34a 、37は、上記と同じ複数の棒熨斗瓦16、16a …で構成され、上段熨斗ユニット31、31a …の上方に、上記と同様の複数個の冠瓦22、22a …を、上段の左右の部分熨斗列37、37を跨ぐ様に設置し、且つ固定具23により上段熨斗ユニット31、31a …に固定されている。
【００３４】
尚、部分熨斗列34における棒熨斗瓦16、16a …、部分熨斗列34a における棒熨斗瓦16、16a …、部分熨斗列37、43における棒熨斗瓦16、16a …を千鳥配置し、部分熨斗列34は４個の棒熨斗瓦16、16a 、16b 、16c で、上段の部分熨斗列34a は３個の棒熨斗瓦16、16a 、16b で、部分熨斗列37は４個の棒熨斗瓦16、16a 、16b 、16c で、部分熨斗列45は２個の棒熨斗瓦16、16a で構成され、部分熨斗列34、37、45はベース32、35、41の全長にわたっており、部分熨斗列34a は両端部がベース32の両端まで至らずに、棒熨斗瓦16、16a …の１枚の半分の空白域24、24a を有し、下段熨斗ユニット30、30a …間の連続する空白域24、24a に、棒熨斗瓦16、16a …と同じ後付け棒熨斗瓦25を、下段熨斗ユニット30、30a …の一端側の空白域24と他端側の空白域24a に、棒熨斗瓦16、16a …を半分にした後付け棒熨斗半瓦26を、棒熨斗瓦16、16a …と同様に、下段熨斗ユニット30、30a …に固定して、下段熨斗ユニット30、30a …の部分熨斗列34により熨斗列45を、下段熨斗ユニット30、30a …の部分熨斗列34a と、後付け棒熨斗瓦25及び後付け棒熨斗半瓦26により熨斗列45a を、上段熨斗ユニット31、31a …の部分熨斗列37により熨斗列45b を形成している。
【００３５】
各下段熨斗ユニット30、30a …におけるベース32は、上記熨斗ユニット10、10a …と同様に、ネジ46、46a …で棟金具１、1a…に固定され、各上段熨斗ユニット31、31a …におけるベース35は、該ベース35を貫通させて下段熨斗ユニット30、30a …に捻じ込んだネジ47、47a …で下段熨斗ユニット30、30a …に固定されている。
ている。
【００３６】
各上段熨斗ユニット31、31a …におけるベース35の下面と、各下段熨斗ユニット30、30a …におけるベース32の溝39の底面との間に、例えば免震ゴムの様な圧縮変形可能な弾性材48、48a …を設けて、上段熨斗ユニット31、31a …を下方支持している。
【００３７】
尚、実施例１のネジ28、28a …や実施例２のネジ46、46a …は金属製の受承板３に、実施例２のネジ47、47a …は下段熨斗ユニット30、30a …における木製のベース32に捻込み可能なタッピングネジとして、受承板３やベース32にネジ孔を形成可能にしている。
【００３８】
又、下段熨斗ユニット30、30a …の一端側のもの及び／又は上段熨斗ユニット31、31a …の他端側のもの（図面上、下段熨斗ユニット30と上段熨斗ユニット31b ）は、ベース32、35が短く、部分熨斗列34、34a 、37の棒熨斗瓦16、16a …の枚数を少なくしたものを配置固定している。
【００３９】
次に、本発明に係る棟金具を使用した棟構造の実施例２の構築方法について説明する。（２−ａ）上記（１−ａ）の熨斗ユニット10、10a …と同様に、下段熨斗ユニット30、30a …をネジ46、46a …で棟金具１、1a…に固定する（〔図１３（ａ）〕、〔図１４〕（ａ）参照）。
（２−ｂ）下段熨斗ユニット30、30a …間の連続する空白域24、24a に後付け棒熨斗瓦25を、下段熨斗ユニット30、30a …の一端側の空白域24と他端側の空白域24a に後付け棒熨斗半瓦26を固定する。そして、隣接する一方の下段熨斗ユニット30、30a …の溝39と他方の下段熨斗ユニット30a 、30b …の溝39に上段熨斗ユニット31、31a …の嵌合部40を嵌め込んで、下段熨斗ユニット30、30a …を連結し、各上段熨斗ユニット31、31a …を、ベース35の両端部を貫通させたネジ47、47a …を下段熨斗ユニット30、30a …に捻じ込んで、弾性材48、48a …を圧縮させながらベース35を下降させ、各ネジ47、47a …の捻込み量で全ての高さと水平を揃えた状態で下段熨斗ユニット30、30a …に固定する（〔図１３（ｂ）〕、〔図１４〕（ｂ）参照）。
（２−ｃ）上段熨斗ユニット31、31a …の上方に設置した複数個の冠瓦22、22a …を、貫通させた固定具23を下段熨斗ユニット30、30a …に打ち込んで固定する（〔図１３（ｃ）〕、〔図１４〕（ｃ）参照）。
【００４０】
尚、本発明に係る棟構造の実施例１、２では、熨斗ユニット群が１段又は２段であるが、３段以上であっても良く、要するにｎ段（ｎ≧２）の熨斗ユニット群を有する棟構造にあっては、１段目の熨斗ユニット群における熨斗ユニットは隣接する棟金具上に載架固定され、隣接する下段の熨斗ユニット群の熨斗ユニットと上段の熨斗ユニット群の熨斗ユニットを千鳥配置し、最上段の熨斗ユニット群上に複数個の冠瓦を設置したものとし、詳細な構成は下記の通りのものとする。
各熨斗ユニットは棟方向に長いベースの両側面に、複数本の棒熨斗瓦を棟方向に並列配置し釘着した熨斗列を１段又は上下方向に複数段望ましくは２段形成したものとする。
１〜（ｎ−１）段目の熨斗ユニット群の熨斗ユニットのベースの上面中央線上に溝を形成し、２〜ｎ段目の熨斗ユニット群の熨斗ユニットのベースの下部に、下段の熨斗ユニットの上面に形成された溝への嵌合部を形成して、２〜ｎ段目の熨斗ユニット群の熨斗ユニットを、１〜（ｎ−１）段目の熨斗ユニット群の隣接する熨斗ユニットを連結するくさびとする。
１段目の熨斗ユニット群における熨斗ユニットのベースを貫通させ受承板に捻じ込まれた複数本のネジの捻込み量で弾性支持材の変形量を調節可能にして、１段目の熨斗ユニット群の全ての熨斗ユニットを一直線上且つ同一高さに水平に配列状態とする。
２〜ｎ段目の熨斗ユニット群の熨斗ユニットのベースを貫通させ１〜（ｎ−１）段目の熨斗ユニット群の熨斗ユニットに捻じ込まれた複数本のネジの捻込み量で弾性材の変形量を調節可能にして、２〜ｎ段目の熨斗ユニット群の全ての熨斗ユニットを一直線上且つ同一高さに水平に配列状態とする。
冠瓦を、貫通させた釘、ネジ等の固定具を熨斗ユニットに打ち込んで該熨斗ユニットに固定する。
【００４１】
又、１〜（ｎ−１）段目の熨斗ユニット群の熨斗ユニットにおける部分熨斗列は２列で、ｎ段目の熨斗ユニット群の熨斗ユニットにおける部分熨斗列は１列又は２列とするのが好ましく、２列の場合には、上段の部分熨斗列の両端側に棒熨斗瓦の幅の半分の空白域を形成して、設置された熨斗ユニットの空白域を、後付け棒熨斗瓦及び後付け棒熨斗半瓦で塞いで、ネジ、釘等の固定具により固定する。
【符号の説明】
【００４２】
１、1a…    棟金具
２          束体
３          受承板
４、4a      弾性支持材
９、9a      熨斗ユニット群
10、10a …  熨斗ユニット
11          ベース
12、12a     側面
13、13a     熨斗列
14、14a     溝
15          くさび板
16、16a …  棒熨斗瓦
22、22a …  冠瓦
28、28a …  ネジ
30、30a …  熨斗ユニット
31、31a …  熨斗ユニット
32          ベース
33、33a     側面
34、34a     熨斗列
35          ベース
36、36a     側面
37、37a     熨斗列
39          溝
40          嵌合部
46、46a …  ネジ
47、47a …  ネジ
48、48a …  弾性材
Ａ          棟部
【図１】
2013224539.tif 000003
【図２】
2013224539.tif 000004
【図３】
2013224539.tif 000005
【図４】
2013224539.tif 000006
【図５】
2013224539.tif 000007
【図６】
2013224539.tif 000008
【図７（ａ）】
2013224539.tif 000009
【図７（ｂ）】
2013224539.tif 000010
【図７（ｃ）】
2013224539.tif 000011
【図８】
2013224539.tif 000012
【図９】
2013224539.tif 000013
【図１０】
2013224539.tif 000014
【図１１】
2013224539.tif 000015
【図１２】
2013224539.tif 000016
【図１３（ａ）】
2013224539.tif 000017
【図１３（ｂ）】
2013224539.tif 000018
【図１３（ｃ）】
2013224539.tif 000019
【図１４】
2013224539.tif 000020